【手続補正書】
【提出日】平成18年10月17日(2006.10.17)
【手続補正１】
【補正対象書類名】明細書
【補正対象項目名】特許請求の範囲
【補正方法】変更
【補正の内容】
【特許請求の範囲】
【請求項１】
電磁波を供給する電磁波供給手段の端部に設けられ、
電磁波を被検査物に照射する先端子において、
この先端子は、
前記電磁波供給手段から与えられた電磁波を透過する透過部材と、
この透過部材の表面を覆い、電磁波を前記透過部材側へ反射させるコート部と、
前記透過部材の表面において前記コート部が設けられていない部分であり、前記透過部材
内の電磁波を外部に放出する非コート部と、
を備えることを特徴とする先端子。
【請求項２】
請求項１に記載の先端子において、
この先端子は、電磁波を透過する弾性体を備え、前記非コート部から放出される電磁波を
前記弾性体を介して前記被検査物に与えることを特徴とする先端子。
【請求項３】
請求項１に記載の先端子において、
この先端子は、この先端子から放出される電磁波を透過する流体を介して前記被検査物に電磁波を与える噴射手段を備えることを特徴とする先端子。
【請求項４】
請求項１に記載の先端子において、
この先端子は、前記コート部が弾性体であることを特徴とする先端子。
【請求項５】
請求項１から請求項４におけるいづれかに記載の先端子において、
この先端子は、長手方向に伸びて設けられ、
前記非コート部は、前記先端子の側面に、長手方向に伸びて設けられていることを特徴と
する先端子。
【請求項６】
請求項１から請求項４におけるいづれかに記載の先端子において、
この先端子は、長手方向に伸びて設けられ、
前記非コート部は、前記先端子の外周の全周に亘り、且つ長手方向に伸びて設けられてい
ることを特徴とする先端子。
【請求項７】
請求項５または請求項６のいづれかに記載の先端子において、
この先端子の長手方向の先端部は、この先端部から電磁波が外部に放射されないように前
記コート部で閉塞されていることを特徴とする先端子。
【請求項８】
請求項５から請求項７のいずれかに記載の先端子において、
前記長手方向に伸びる前記非コート部は、長手方向に複数に分割して設けられていること
を特徴とする先端子。
【手続補正２】
【補正対象書類名】明細書
【補正対象項目名】０００５
【補正方法】変更
【補正の内容】
【０００５】
【課題を解決するための手段】
本発明のスーパー探針は、次の技術的手段を採用した。
〔請求項１の手段〕
電磁波を供給する電磁波供給手段の端部に設けられ、
電磁波を被検査物に照射する先端子において、
請求項１の先端子は、
前記電磁波供給手段から与えられた電磁波を透過する透過部材と、
この透過部材の表面を覆い、電磁波を前記透過部材側へ反射させるコート部と、
前記透過部材の表面において前記コート部が設けられていない部分であり、前記透過部材
内の電磁波を外部に放出する非コート部と、
を備えることを特徴とする。
【手続補正３】
【補正対象書類名】明細書
【補正対象項目名】０００６
【補正方法】変更
【補正の内容】
【０００６】
〔請求項２の手段〕
請求項２の先端子は、電磁波を透過する弾性体を備え、前記非コート部から放出される電
磁波を前記弾性体を介して前記被検査物に与えることを特徴とする。
【手続補正４】
【補正対象書類名】明細書
【補正対象項目名】０００７
【補正方法】変更
【補正の内容】
【０００７】
〔請求項３の手段〕
請求項３の先端子は、この先端子から放出される電磁波を透過する流体を介して前記被検査物に電磁波を与える噴射手段を備えることを特徴とする
【手続補正５】
【補正対象書類名】明細書
【補正対象項目名】０００８
【補正方法】変更
【補正の内容】
【０００８】
〔請求項４の手段〕
請求項４の先端子は、前記コート部が弾性体であることを特徴とする。
【手続補正６】
【補正対象書類名】明細書
【補正対象項目名】０００９
【補正方法】変更
【補正の内容】
【０００９】
〔請求項５の手段〕
請求項５の先端子は、長手方向に伸びて設けられ、
前記非コート部は、前記先端子の側面に、長手方向に伸びて設けられていることを特徴と
する。
【手続補正７】
【補正対象書類名】明細書
【補正対象項目名】００１０
【補正方法】変更
【補正の内容】
【００１０】
〔請求項６の手段〕
請求項６の先端子は、
長手方向に伸びて設けられ、
前記非コート部は、前記先端子の外周の全周に亘り、且つ長手方向に伸びて設けられてい
ることを特徴とする。
【手続補正８】
【補正対象書類名】明細書
【補正対象項目名】００１１
【補正方法】変更
【補正の内容】
【００１１】
〔請求項７の手段〕
請求項７の先端子において、
この先端子の長手方向の先端部は、この先端部から電磁波が外部に放射されないように前
記コート部で閉塞されていることを特徴とする。
【手続補正９】
【補正対象書類名】明細書
【補正対象項目名】００１２
【補正方法】変更
【補正の内容】
【００１２】
〔請求項８の手段〕
請求項８の先端子において、
前記長手方向に伸びる前記非コート部は、長手方向に複数に分割して設けられていること
を特徴とする。
【手続補正１０】
【補正対象書類名】明細書
【補正対象項目名】００１３
【補正方法】変更
【補正の内容】
【００１３】
【発明の作用および発明の効果】
〔請求項１の作用および効果〕
電磁波を供給する電磁波供給手段の端部に設けられ、
電磁波を被検査物に照射する先端子において、
請求項１の先端子は、
前記電磁波供給手段から与えられた電磁波を透過する透過部材と、
この透過部材の表面を覆い、電磁波を前記透過部材側へ反射させるコート部と、
前記透過部材の表面において前記コート部が設けられていない部分であり、前記透過部材
内の電磁波を外部に放出する非コート部と、
を備えることを特徴とするので、
被検査物に対して効率よく最適に電磁波を与えることができる。また被検査物と非コート
部が接触した場合に、さらに効率的に電磁波を与える事ができる。
【手続補正１１】
【補正対象書類名】明細書
【補正対象項目名】００１４
【補正方法】変更
【補正の内容】
【００１４】
〔請求項２の作用および効果〕    
請求項２の先端子は、電磁波を透過する弾性体を備え、前記非コート部から放出される
電磁波を前記弾性体を介して前記被検査物に与えることを特徴とするので
特に被計測物体に傷をつけない。また効率的に電磁波を与える事ができる。
【手続補正１２】
【補正対象書類名】明細書
【補正対象項目名】００１５
【補正方法】変更
【補正の内容】
【００１５】
〔請求項３の作用および効果〕    
請求項３の先端子は、この先端子から放出される電磁波を透過する流体を介して前記被検査物に電磁波を与える噴射手段を備えることを特徴とするので、深部まで電磁波が浸透する。また洗浄も行える。
【手続補正１３】
【補正対象書類名】明細書
【補正対象項目名】００１６
【補正方法】変更
【補正の内容】
【００１６】
〔請求項４の作用および効果〕
請求項４の先端子は、前記コート部が弾性体であることを特徴とするので、被計測物体に
特に傷をつけない。
【手続補正１４】
【補正対象書類名】明細書
【補正対象項目名】００１７
【補正方法】変更
【補正の内容】
【００１７】
〔請求項５の作用および効果〕
請求項５の先端子は、長手方向に伸びて設けられ、
前記非コート部は、前記先端子の側面に、長手方向に伸びて設けられていることを特徴と
するので、歯牙や歯周組織などに最適な電磁波の付与ができる。
【手続補正１５】
【補正対象書類名】明細書
【補正対象項目名】００１８
【補正方法】変更
【補正の内容】
【００１８】
〔請求項６の作用および効果〕
請求項６の先端子は、
長手方向に伸びて設けられ、
前記非コート部は、前記先端子の外周の全周に亘り、且つ長手方向に伸びて設けられてい
ることを特徴とするので、歯牙や歯周組織などに最適な電磁波の付与ができる。
【手続補正１６】
【補正対象書類名】明細書
【補正対象項目名】００１９
【補正方法】変更
【補正の内容】
【００１９】
〔請求項７の作用および効果〕
請求項７の先端子において、
この先端子の長手方向の先端部は、この先端部から電磁波が外部に放射されないように前
記コート部で閉塞されていることを特徴とするので、歯牙や歯周組織などに最適な電磁波
の付与ができる。
【手続補正１７】
【補正対象書類名】明細書
【補正対象項目名】００２０
【補正方法】変更
【補正の内容】
【００２０】
〔請求項８の作用および効果〕
請求項８の先端子において、
前記長手方向に伸びる前記非コート部は、長手方向に複数に分割して設けられていること
を特徴とするので、歯牙や歯周組織などに最適な電磁波の付与ができる。